(57)【要約】  【課題】ダイヤルスイッチにより選択肢に対するフォーカスを移動させる入力装置において、ユーザの好みに合ったフォーカスの移動順序を可能とする。  【解決手段】表示装置の前面に設けられたタッチパネルと、ダイヤルスイッチとを備える入力装置であって、複数の選択肢からなるメニューを表示し、タッチパネルを介して、選択中であることを示すフォーカスの移動順序を受け付けるフォーカス移動順序受付手段と、選択肢の選択受付画面の表示中に、ダイヤルスイッチの回転を検知した場合、前記フォーカス移動順序受付手段により受け付けたフォーカスの移動順序を用いて、フォーカスを選択肢に対して順に移動させるフォーカス移動手段とを備えている。【選択図】図６
2008129688.tif 000002
【特許請求の範囲】
【請求項１】
表示装置の前面に設けられたタッチパネルと、タッチパネル以外の入力スイッチとを備える入力装置であって、
複数の選択肢からなるメニューを表示し、タッチパネルを介して、選択中であることを示すフォーカスの移動順序を受け付けるフォーカス移動順序受付手段と、
前記選択肢の選択受付画面の表示中に、前記入力スイッチの操作を検知した場合、前記フォーカス移動順序受付手段により受け付けたフォーカスの移動順序を用いて、前記フォーカスを前記選択肢に対して順に移動させるフォーカス移動手段と
を備えることを特徴とする入力装置。
【請求項２】
請求項１において、
前記入力スイッチは、ダイヤルスイッチであり、
前記入力スイッチの操作は、当該ダイヤルスイッチの回転である
ことを特徴とする入力装置。
【請求項３】
請求項１において、
前記フォーカス移動順序受付手段は、
前記選択肢へのタッチの順序により、前記フォーカスの移動順序を受け付ける
ことを特徴とする入力装置。
【請求項４】
請求項１において、
前記フォーカス移動順序受付手段は、
前記タッチパネル上のタッチされた場所の軌跡から、前記フォーカスの移動順序を定める
ことを特徴とする入力装置。
【請求項５】
請求項２において、
前記フォーカス移動順序受付手段は、
タッチされなかった選択肢の順序を、タッチされた選択肢の順序の後に設定する
ことを特徴とする入力装置。
【請求項６】
請求項２において、
前記フォーカス移動順序受付手段は、
タッチされた選択肢の表示態様を、タッチされる前と異ならせる
ことを特徴とする入力装置。
【請求項７】
表示装置の前面に設けられたタッチパネルと、タッチパネル以外の入力スイッチとを備える入力装置の入力方法であって、
複数の選択肢からなるメニューを表示し、タッチパネルを介して、選択中であることを示すフォーカスの移動順序を受け付けるフォーカス移動順序受付ステップと、
前記選択肢の選択受付画面の表示中に、前記入力スイッチの操作を検知した場合、前記フォーカス移動順序受付手段により受け付けたフォーカスの移動順序を用いて、前記フォーカスを前記選択肢に対して順に移動させるフォーカス移動ステップと
を備えることを特徴とする入力装置の入力方法。
【発明の詳細な説明】
【技術分野】
【０００１】
本発明は、ダイヤルスイッチを備えた入力装置に関する。
【背景技術】
【０００２】
車載用ナビゲーション装置などの情報機器の中には、入力装置としてダイヤルスイッチを備えたものがある（特許文献１等参照）。このような情報機器は、例えば、ディスプレイに、複数の選択肢からなるメニューを表示する。また、選択肢を選択するためのフォーカスを表示する。フォーカスは、ダイヤルスイッチの回転に従って、選択肢を移動する。操作者は、ダイヤルスイッチを回転させて、希望の選択肢にフォーカスをあわせ、確定ボタンを押すことで、選択を確定する。
【０００３】
【特許文献１】特開２００６−３１０９４号公報
【発明の開示】
【発明が解決しようとする課題】
【０００４】
ところで、ダイヤルスイッチを回転させた場合のフォーカスの移動順序は、操作者の好みと一致するとは限らない。例えば、選択肢が６つあり、横３×縦２で配置されていた場合を考える。操作者によっては、ダイヤルスイッチを時計回りに回した場合、フォーカスが、上の３つの選択肢を左から右に移動した後、下の一番左の選択肢に移動し、右方向に移動して欲しいと思う。一方、操作者によっては、ダイヤルスイッチを時計回りに回した場合、フォーカスが、上の３つの選択肢を左から右に移動した後、下の一番左の選択肢に移動し、左方向に移動して欲しいと思う。
【０００５】
一方で、操作者の好み通りのフォーカスの移動を設定するために、操作者に煩雑な操作を要求するのでは、使い勝手が悪くなる。
【０００６】
本発明は、上記課題を解決すべくなされたものであり、ダイヤルスイッチにより選択肢に対するフォーカスを移動させる入力装置において、操作者の好みに合ったフォーカスの移動を、簡便な操作で可能とすることを目的とする。
【課題を解決するための手段】
【０００７】
上記課題を解決すべく、本発明では、タッチパネルを介して、タッチパネル以外の入力スイッチ（例えば、ダイヤルスイッチ）が操作されたときの選択肢に対するフォーカスの移動順序を受け付ける。
【０００８】
例えば、本発明は、表示装置の前面に設けられたタッチパネルと、タッチパネル以外の入力スイッチとを備える入力装置であって、複数の選択肢からなるメニューを表示し、タッチパネルを介して、選択中であることを示すフォーカスの移動順序を受け付けるフォーカス移動順序受付手段と、前記選択肢の選択受付画面の表示中に、前記入力スイッチの回転を検知した場合、前記フォーカス移動順序受付手段により受け付けたフォーカスの移動順序を用いて、前記フォーカスを前記選択肢に対して順に移動させるフォーカス移動手段とを備えている。
【０００９】
前記フォーカス移動順序受付手段は、前記選択肢へのタッチの順序により、前記フォーカスの移動順序を受け付けるようにすることができる。
【００１０】
前記フォーカス移動順序受付手段は、前記タッチパネル上のタッチされた場所の軌跡から、前記フォーカスの移動順序を定めるようにしてもよい。
【００１１】
前記フォーカス移動順序受付手段は、タッチされなかった選択肢の順序を、タッチされた選択肢の順序の後に設定するようにしてもよい。
【００１２】
前記フォーカス移動順序受付手段は、タッチされた選択肢の表示態様を、タッチされる前と異ならせるようにしてもよい。
【発明を実施するための最良の形態】
【００１３】
以下に、本発明の一実施形態について、図面を参照して説明する。
【００１４】
図１は、本発明の一実施形態が適用された車載用ナビゲーション装置１００の概略構成図である。図示するように、車載用ナビゲーション装置１００は、演算処理部１と、ディスプレイ２と、記憶装置３と、音声入出力装置４と、入力装置５と、車輪速センサ６と、ジャイロセンサ７と、ＧＰＳ(Global Positioning System)受信装置８と、を備えている。
【００１５】
演算処理部１は、様々な処理を行う中心的ユニットである。例えば各種センサ６、７やＧＰＳ受信装置８から出力される情報を基にして現在位置を検出する。また、ディスプレイ２に画像を表示するためにグラフィックス情報を生成する。
【００１６】
ディスプレイ２は、液晶表示装置などからなり、演算処理部１で生成されたグラフィックス情報を表示するユニットである。
【００１７】
記憶装置３は、ＣＤ-ＲＯＭやＤＶＤ-ＲＯＭやＨＤＤやＩＣカードといった記憶媒体で構成されている。この記憶媒体には、ナビゲーション処理に必要な地図データが記憶されている。
【００１８】
音声入出力装置４は、マイクロホンを備え、ユーザが発話した音声を取得し、演算処理部１に送信する。また、演算処理部１で生成したユーザへのメッセージを音声信号に変換し出力する。
【００１９】
入力装置５は、ユーザからの指示を受け付けるユニットである。入力装置５は、ダイヤルスイッチ５１と、ディスプレイ２の表示面に貼られた透過性のタッチパネル５２と、その他のハードスイッチ（図示しない）で構成される。ダイヤルスイッチ５１は、時計回り及び反時計回りに回転可能に構成され、所定の角度の回転ごとにパルス信号を発生し、回転方向とともに出力する。タッチパネル５２は、操作者によってタッチされた位置を出力する。
【００２０】
センサ６、７およびＧＰＳ受信装置８は、車載用ナビゲーション装置１００で現在地（自車位置）を検出するために使用されるものである。
【００２１】
図２は、演算処理部１の機能ブロック図である。なお、車載用ナビゲーション装置１００の基本的の動作であるナビゲーション処理を行うための機能については説明を省略する。
【００２２】
図示するように、演算処理部１は、入力処理部４１と、フォーカス移動順序設定部４２と、メニュー表示処理部４３とを備えている。
【００２３】
入力処理部４１は、入力装置５に入力されたユーザからの要求を受け、その要求内容を解析して、その要求内容に対応する処理が実行されるように演算処理部１の各部を制御する。
【００２４】
フォーカス移動順序設定部４２は、フォーカス（選択肢の選択受付画面において表示される、選択されている選択肢を示すもの）の選択肢に対する移動順序を設定し、メニュー情報４４０に格納する処理を行う。
【００２５】
メニュー表示処理部４３は、メニュー情報４４０に基づいて、メニュー画面を表示する処理を行う。また、ダイヤルスイッチ５１の回転量に応じて、フォーカスを移動する処理を行う。
【００２６】
メニュー情報４４０は、複数の選択肢（選択受付画面において選択される項目）を含むメニュー画面に関する情報を格納している。
【００２７】
図３は、メニュー情報４４０の構成を示す図である。メニュー情報４４０は、メニュー画面ごとのレコードを格納している。各レコードは、メニュー名４４１と、レイアウト情報４４２と、フォーカス移動順序４４３とを格納している。レイアウト情報４４２は、メニュー画面中の選択肢の位置などを含み、メニュー画面を描画するのに利用される情報である。フォーカス移動順序４４３は、メニュー画面に含まれている選択肢に対するフォーカスの移動順序を含む。フォーカス移動順序４４３は、フォーカス移動順序設定部４２により書き換えられる。
【００２８】
図４は、演算処理部１のハードウェア構成例を示す図である。
【００２９】
図示するように、演算処理部１は、各デバイス間をバス３２で接続した構成としてある。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、メモリ間およびメモリと各デバイスとの間のデータ転送を実行するＤＭＡ（Direct Memory Access）２４と、グラフィックス描画を実行し且つ表示制御を行う描画コントローラ２５と、グラフィックスイメージデータを蓄えるＶＲＡＭ(Video Random Access Memory)２６と、イメージデータをＲＧＢ信号に変換するカラーパレット２７と、アナログ信号をデジタル信号に変換するＡ/Ｄ変換器２８と、シリアル信号をバスに同期したパラレル信号に変換するＳＣＩ(Serial Communication Interface)２９と、パラレル信号をバスに同期させてバス上にのせるＰＩＯ(Parallel Input/Output)３０と、パルス信号を積分するカウンタ３１と、を有する。
【００３０】
図３で示した構成要素及び機能は、ＣＰＵ２１が所定のプログラムを実行することにより達成される。メニュー情報４４０は、ＥＥＰＲＯＭ（Electronically Erasable and Programmable Read Only Memory）などの不揮発性メモリに記憶されてもよい。
【００３１】
［動作の説明］次に、本実施形態の車載用ナビゲーション装置１００の特徴的な動作について図５及び図６（Ａ）を用いて説明する。
【００３２】
図５は、フォーカスの移動順序の設定処理の流れを示すフロー図である。また、図６（Ａ）は、フォーカスの移動順序を設定する際に表示される、フォーカス移動順序設定画面２００を示す。
【００３３】
図５に示したフローは、操作者から入力装置５を介して、フォーカスの移動順序の設定要求がなされたときに開始される。
【００３４】
まず、フォーカス移動順序設定部４２は、操作者から入力装置５を介して、フォーカスの移動順序を設定する対象となるメニュー画面のメニュー名の選択を受け付ける（Ｓ１１）。具体的には、メニュー情報４４０に含まれている各レコードから、メニュー名４４１を抽出して、ディスプレイ２に、一覧表示する。そして、入力装置５を介して操作者から、いずれか１つのメニュー名の選択を受け付ける。
【００３５】
次に、フォーカス移動順序設定部４２は、Ｓ１１で選択されたメニュー名４４１に対応するレイアウト情報４４２を取得する。そして、取得したレイアウト情報４４２に基づいて、図６（Ａ）に示すように、メニュー画面２０２を含むフォーカス移動順序設定画面２００を、ディスプレイ２に表示する（Ｓ１２）。
【００３６】
図６（Ａ）の例では、フォーカス移動順序設定画面２００には、６つの選択肢２０１ａ〜２０１ｆが横３×縦２で配置されたメニュー画面２０２が表示されている。
【００３７】
次に、フォーカス移動順序設定部４２は、ダイヤルスイッチ５１が回されたときのフォーカスの移動順序を、タッチパネル５２を介して操作者から受け付ける（Ｓ１３）。ここでは、ダイヤルスイッチ５１が時計回りに回されたときのフォーカスの移動順序を受け付けるものとする。このとき、「ダイヤルスイッチを時計回りに回したときのフォーカスの移動順序を、選択肢を順にタッチして、指定してください」などと、操作を促すメッセージを表示してもよい。
【００３８】
ここで、操作者は、各選択肢を順にタッチしていくことになる。図６中「Ｘ」はタッチされた場所を示す。破線矢印は、指の移動軌跡である。なお、操作者の指は、１つの選択肢をタッチした後、一旦タッチパネルから離れるものとする。
【００３９】
次に、フォーカス移動順序設定部４２は、タッチされた選択肢（「タッチパネル５２上のタッチされた位置に対応する位置に表示された選択肢」の意：以下同様）の、タッチされた順番を登録する（Ｓ１４）。具体的には、Ｓ１１で選択されたメニュー名４４１のフォーカス移動順序４４３に、タッチされた選択肢に対応させて、タッチされた順番を格納する。
【００４０】
図６（Ａ）の例では、操作者により、選択肢２０１ａ、選択肢２０１ｂ、選択肢２０１ｃ、選択肢２０１ｆ、選択肢２０１ｅ及び選択肢２０１ｄが、この順にタッチされたとする。かかる場合、メニュー情報４４０の、Ｓ１１で選択されたメニュー画面のレコードのフォーカス移動順序４４３には、選択肢２０１ａの順番として「１」、選択肢２０１ｂの順番として「２」、選択肢２０１ｃの順番として「３」、選択肢２０１ｆの順番として「４」、選択肢２０１ｅの順番として「５」、選択肢２０１ｄの順番として「６」がそれぞれ格納される。
【００４１】
なお、タッチされなかった選択肢がある場合、その選択肢の順番として、最後にタッチされた選択肢の順番の後の順番を格納する。また、タッチされなかった選択肢が複数ある場合は、最後にタッチされた選択肢の順番の後の順番で、かつ選択肢の登録順の順番を格納する。
【００４２】
以上、フォーカスの移動順序の設定処理について説明した。
【００４３】
次に、図６（Ｂ）を用いて、メニュー画面において選択肢を選択するモードにおける、フォーカスの移動の仕方について説明する。
【００４４】
メニュー表示処理部４３は、目的地設定、経路探索、住所検索などの、所定の処理において、所定のメニュー画面をメニュー情報４４０から検索する。そして、図６（Ｂ）に示すように、レイアウト情報４４２に基づいて、メニュー画面２０２を含む選択受付画面２１０を、ディスプレイ２に表示する。
【００４５】
また、メニュー表示処理部４３は、選択肢を選択するためのフォーカス２２０を、いずれかの選択肢に配置して表示する。図６（Ｂ）の例では、選択肢２１１ａにフォーカス２２０が配置されている。
【００４６】
選択受付画面２１０の表示中、メニュー表示処理部４３は、ダイヤルスイッチ５１の回転を監視する。そして、ダイヤルスイッチ５１の回転を検知すると、回転方向とフォーカス移動順序４４３に従って、フォーカス２２０を移動させる。
【００４７】
具体的には、メニュー表示処理部４３は、ダイヤルスイッチ５１の時計回りの回転を検知すると、フォーカス移動順序４４３の中から、現在フォーカス２２０を配置している選択肢の順番の次ぎの順番の選択肢を求める。そして、その選択肢にフォーカス２２０を移動する。
【００４８】
一方、メニュー表示処理部４３は、反時計回りの回転を検知すると、フォーカス順序情報４４３の中から、現在フォーカス２２０を配置している選択肢の順番の１つ前の順番である選択肢を求める。そして、その選択肢にフォーカス２２０を移動させる。
【００４９】
図６（Ｂ）は、ダイヤルスイッチ５１が時計回りに回された場合を示している。フォーカス２２０は、選択肢２０１ａ、選択肢２０１ｂ、選択肢２０１ｃ、選択肢２０１ｆ、選択肢２０１ｅ、選択肢２０１ｄの順（図中の矢印の方向）に移動する。
【００５０】
なお、フォーカス２２０の位置が、フォーカス移動順序が最大値の選択肢まで移動した場合に、さらにダイヤルスイッチ５１が時計回りに回された場合、フォーカス移動順序が最小値の選択肢に移動させるようにしてもよい。こうすれば、図６（Ｂ）の例では、フォーカス２２０を、選択肢２０１ｄから選択肢２０１ａに移動させることができる。同様に、フォーカス２２０の位置が、フォーカス移動順序が最小値の選択肢まで移動した場合に、さらにダイヤルスイッチ５１が反時計回りに回された場合、フォーカス移動順序が最大値の選択肢に移動させるようにしてもよい。こうすれば、フォーカス２２０を、選択肢２０１ａから選択肢２０１ｄに移動させることができる。
【００５１】
以上、本発明の一実施形態について説明した。
【００５２】
上記実施形態によれば、操作者の好みに応じたダイヤルスイッチの回転にともなうフォーカスの移動順序を、簡便な操作で受け付け、設定することができる。
【００５３】
なお、上記実施形態では、操作者からフォーカスの移動順序を受け付ける際（図５のＳ１３）、操作者の指は、１つの選択肢をタッチするごとにタッチパネル５２から離されるものとしている。これに限らず、図７に示すように、タッチパネル５２から指が離れることなく、選択肢をなぞるようにタッチさせる方法で選択肢の順序を受け付けても良い。かかる場合、メニュー画面２２０の選択肢２０１ａ〜２０１ｆの位置と、なぞった軌跡（タッチされた場所の軌跡）とを用いて、タッチされた選択肢の順序を求める。すなわち、軌跡上に存在する選択肢を順に求め、軌跡の開始点に近い順に、選択肢のフォーカス移動順序を設定する。
【００５４】
＜変形例＞
本発明は、上記実施形態に制限されず、様々な変形が可能である。
【００５５】
例えば、メニュー画面の選択肢の配置のされ方に制限はない。例えば、図８に示すように、選択肢２０１ａ〜２０１ｄが縦（または横）に列挙されていてもよい。また、フォーカスの移動順序は、必ずしも隣の選択肢に移動するようにしなくてもよい。フォーカスしている選択肢の隣の選択肢を飛び越えて、他の選択肢に移動するようにしてもよい。
【００５６】
図８（Ａ）は、選択肢２０１ａ〜２０１ｄが縦に列挙されるメニュー画面２０１を示す。かかるメニュー画面２０２に関するフォーカス移動順序設定画面２００にて、フォーカス移動順序設定部４２は、上記実施形態と同様に、タッチされた選択肢のタッチされた順番を、メニュー情報４４０のフォーカス移動順序４４３に格納する。例えば、選択肢２０１ａ、選択肢２０１ｃ、選択肢２０１ｂ、選択肢２０１ｄの順番でタッチされた場合、この順序がフォーカス移動順序４４３に格納される。
【００５７】
図８（Ｂ）は、メニュー画面２０２に関する選択肢の選択受付画面２１０である。メニュー表示処理部４３は、フォーカス移動順序４４３に従って、フォーカス２２０を移動させる。したがって、図８（Ｂ）に示すように、ダイヤルスイッチ５１が時計回りに回されると、フォーカス２２０は、選択肢２０１ａ、選択肢２０１ｃ、選択肢２０１ｂ、選択肢２０１ｄの順に移動する。一方、ダイヤルスイッチ５１が反時計回りに回されると、フォーカス２２０は、選択肢２０１ｄ、選択肢２０１ｂ、選択肢２０１ｃ、選択肢２０１ａの順に移動する。
【００５８】
このように、フォーカスの移動順序の自由な設定が可能であれば、操作者は、良く使う選択肢のフォーカス移動順序を早くしておきことができる。そして、選択受付画面２１０において、迅速に目的の選択肢を選択することが可能となる。
【００５９】
また、図９に示すように、フォーカス移動順序設定画面２００において、タッチされる前と後とで選択肢の色を変えるなど、表示態様を変えてもよい。こうすれば、操作者に、タッチした選択肢とタッチしていない選択肢を明確に区別させることができる。
【００６０】
また、一度タッチされた選択肢が再度タッチされてしまった場合の対応として、同じ選択肢について再度タッチされた場合は、エラーを示す表示を行い、最初からタッチし直させるようにしてもよい。
【００６１】
また、フォーカス移動順序設定画面２００においてタッチされなかった選択肢を、選択受付モードにおける選択受付画面には表示しないようしてもよい。例えば、フォーカス移動順序設定部４２は、タッチされなかった選択肢について、レイアウト情報４４２に格納しておく。メニュー表示処理部４３は、レイアウト情報４４２に基づき、メニュー画面を表示する際、タッチされなかった選択肢がある場合、それの表示を省略する。
【００６２】
また、選択肢は、図形、記号などのアイコンであってもよいし、文字であってもよい。
【００６３】
また、フォーカスは、選択肢が選択されていることを示すものであれば、その形、色など、表現方法に制限はない。
【００６４】
本発明は、ナビゲーション装置の入力装置に限らず、タッチパネルとダイヤルスイッチとを備えた様々な情報機器の入力装置に適用することができる。
【図面の簡単な説明】
【００６５】
【図１】図１は、本発明の一実施形態が適用された車載用ナビゲーション装置の概略構成図である。
【図２】図２は、演算処理部１の機能構成を示す図である。
【図３】図３は、メニュー情報４４０の構成例である。
【図４】図４は、演算処理部１のハードウェア構成を示す図である。
【図５】図５は、フォーカスの移動順序の設定処理のフロー図である。
【図６】図６は、表示画面の例を示す図である（図６（Ａ）は、設定画面、図６（Ｂ）は、選択受付画面）。
【図７】図７は、表示画面の例を示す図である（図７（Ａ）は、設定画面、図７（Ｂ）は、選択受付画面）。
【図８】図８は、表示画面の例を示す図である（図８（Ａ）は、設定画面、図８（Ｂ）は、選択受付画面）。
【図９】図９は、表示画面の例を示す図である。
【符号の説明】
【００６６】
１００・・・車載用ナビゲーション装置、
１・・・演算処理部、２・・・ディスプレイ、３・・・記憶装置、４・・・音声出入力装置、５・・・入力装置、６・・・車輪速センサ、７・・・ジャイロ、８・・・ＧＰＳ受信装置、
５１・・・ダイヤルスイッチ、
５２・・・タッチパネル、
４１・・・入力処理部、４２・・・フォーカス移動順序設定部、４３・・・メニュー表示処理部、４４０・・・メニュー情報
【図１】
2008129688.tif 000003
【図２】
2008129688.tif 000004
【図３】
2008129688.tif 000005
【図４】
2008129688.tif 000006
【図５】
2008129688.tif 000007
【図６】
2008129688.tif 000008
【図７】
2008129688.tif 000009
【図８】
2008129688.tif 000010
【図９】
2008129688.tif 000011